(57)【要約】【課題】導通検査ピンを接触させた際の端子の変形を防止できるコネクタを提供する。【解決手段】コネクタ１１は、コネクタハウジング１３に設けられて端子収容室２７を区画形成する端子収容室内壁４５及び挿入リテーナ壁３９と、これら端子収容室内壁４５及び挿入リテーナ壁３９に設けられ端子収容室２７に装着された端子１５に電気的に接続されるとともに、導通検査ピン接触面５１がコネクタハウジング１３の外部に露出する導通部材１７と、を備える。【選択図】図８
2020177816.tif 000002
【特許請求の範囲】
【請求項１】
コネクタハウジングに設けられて端子収容室を区画形成する仕切壁部と、
前記仕切壁部に設けられ前記端子収容室に装着された端子に電気的に接続されるとともに、一部分が前記コネクタハウジングの外部に露出する導通部材と、
を備えることを特徴とするコネクタ。
【請求項２】
前記仕切壁部が、前記コネクタハウジングに形成される端子収容室内壁、及び前記コネクタハウジングに嵌合されるリテーナに形成されて前記端子収容室を区画形成する挿入リテーナ壁の少なくともいずれか一方であることを特徴とする請求項１に記載のコネクタ。
【請求項３】
前記コネクタハウジングには、前記端子収容室に突出して前記端子の離脱を規制する可撓係止片が形成され、
前記導通部材が、前記端子を挟んで前記可撓係止片の反対側の前記仕切壁部に設けられることを特徴とする請求項１または請求項２に記載のコネクタ。
【請求項４】
前記導通部材が、板状に形成され、
前記導通部材の表裏面いずれか一方の面が、前記端子に接触し、
前記導通部材の前記表裏面に垂直な端面が、前記コネクタハウジングの外部に露出することを特徴とする請求項１〜請求項３のいずれか一項に記載のコネクタ。
【発明の詳細な説明】
【技術分野】
【０００１】
本発明は、コネクタに関する。
【背景技術】
【０００２】
ワイヤハーネスのコネクタ内に挿入係止された端子に対して、導通の有無を検知するコネクタ導通検査を実施することがある。コネクタ導通検査には、例えば特許文献１に開示されるコネクタ導通検査具が用いられる。
【０００３】
このコネクタ導通検査具は、コネクタを嵌合する第一のブロック内に、コネクタの端子に一端部を接触させる進退自在な導通検査ピンと、端子を係止するコネクタの可撓係止ランス（可撓係止片）の撓み空間内に一端部を進入可能な絶縁性の挿入検査ピンとをオフセットして備える。第一のブロックと第二のブロックとの間に回路基板が挟まれて配置される。第二のブロック内に導電性の可動ピンが端子方向に弾性付勢されて設けられる。回路基板に導通検査ピンと可動ピンとの間でオフセット方向に回路導体が設けられる。
そして、導通検査ピンの他端部が第一のブロック内で弾性部材を介して回路導体の一端部に接触する。回路導体の他端部が可動ピンに接触する。回路導体の他端部に沿って挿入検査ピンの他端部が回路基板の挿通部を通過して可動ピンに当接する。可動ピンに外部から通電され、挿入検査ピンの一端部が可撓係止ランスに当接した際に、挿入検査ピンの他端部が可動ピンを回路導体に対して接触解除方向に押圧する。
【先行技術文献】
【特許文献】
【０００４】
【特許文献１】特開２００１−１５９６５４号公報
【発明の概要】
【発明が解決しようとする課題】
【０００５】
しかしながら、従来のコネクタは、導通検査ピンを端子に接触させた際に、導通検査ピンの押圧力によっては、端子を変形させてしまう虞があった。即ち、導通検査ピンは、端子に押されてコイルばねの付勢に抗してスライド式に後退し、コイルばねの付勢力で端子の先端に弾性的に接触する。このため、スライド機構が何らかの要因で正規に動作せず、導通検査ピンが後退しなければ、導通検査ピンの押圧力によって端子を変形させてしまう。
【０００６】
本発明は上記状況に鑑みてなされたもので、その目的は、コネクタ導通検査の際の端子の変形を防止できるコネクタを提供することにある。
【課題を解決するための手段】
【０００７】
本発明に係る上記目的は、下記構成により達成される。
（１）  コネクタハウジングに設けられて端子収容室を区画形成する仕切壁部と、前記仕切壁部に設けられ前記端子収容室に装着された端子に電気的に接続されるとともに、一部分が前記コネクタハウジングの外部に露出する導通部材と、を備えることを特徴とするコネクタ。
【０００８】
上記（１）の構成のコネクタによれば、コネクタハウジングの内方に、端子を収容する端子収容室が設けられる。端子収容室は、コネクタハウジング内に設けられる仕切壁部により区画形成される。仕切壁部には、導通部材が設けられる。導通部材は、端子収容室に臨むことにより、端子収容室に装着された端子に、電気的に接続することができる。端子に接続された導通部材は、一部分がコネクタハウジングの外部に露出する。従って、端子は、コネクタハウジングの外部から導通検査ピンが導通部材の一部分に接触することにより、導通部材を介して、コネクタハウジングの外部からの電気的な接続が可能となっている。この際、仮に導通検査ピンのスライド機構が何らかの要因で正規に動作せず、導通検査ピンが後退しないで導通部材に接触しても、導通検査ピンの押圧力が、端子に作用しない。これにより、端子は、導通検査ピンの押圧力が過剰に作用することによる変形が防止される。
【０００９】
（２）  前記仕切壁部が、前記コネクタハウジングに形成される端子収容室内壁、及び前記コネクタハウジングに嵌合されるリテーナに形成されて前記端子収容室を区画形成する挿入リテーナ壁の少なくともいずれか一方であることを特徴とする上記（１）に記載のコネクタ。
【００１０】
上記（２）の構成のコネクタによれば、仕切壁部が、端子収容室内壁及び挿入リテーナ壁の少なくともいずれか一方となる。リテーナは、コネクタハウジングと別体に形成され、端子が装着された後のコネクタハウジングに嵌合される。コネクタハウジングに嵌合されたリテーナは、挿入リテーナ壁の挿入先端が、端子を係止している可撓係止片の退避空間に配置される。可撓係止片は、退避空間に挿入リテーナ壁の挿入先端が配置されることにより、係止方向と反対方向の移動が規制される。つまり、コネクタハウジングは、リテーナが嵌合されることにより、端子に対する可撓係止片の係止解除が、可撓係止片の弾性復元力に加え、二重に規制され、端子の保持信頼性が高くなる。本構成のコネクタでは、このリテーナの挿入リテーナ壁に導通部材が設けられることにより、コネクタハウジングに、導通部材を設けるためのスペースを確保せずに済む。即ち、リテーナを使用するコネクタハウジングにおいて、コネクタハウジングを大型化させずに、導通検査ピンによる端子の変形が防止できるようになる。
【００１１】
（３）  前記コネクタハウジングには、前記端子収容室に突出して前記端子の離脱を規制する可撓係止片が形成され、前記導通部材が、前記端子を挟んで前記可撓係止片の反対側の前記仕切壁部に設けられることを特徴とする上記（１）または（２）に記載のコネクタ。
【００１２】
上記（３）の構成のコネクタによれば、コネクタハウジングに、端子収容室に突出する可撓係止片が形成される。可撓係止片は、端子収容室に端子が挿入されると、端子の挿入力によって端子収容室の外側へ弾性変形する。端子が端子収容室の所定の位置まで挿入されると、端子の係止段部が、可撓係止片の先端に形成された係止突部に係止される。すると、可撓係止片は、弾性復元力により、係止突部が端子の係止段部を端子収容室の内側へ押圧付勢する。この際、可撓係止片の弾性復元力は、端子を可撓係止片の反対側の仕切壁部へ接近させる方向に作用する。これにより、可撓係止片の弾性復元力が作用する分、端子を導通部材に強く接触させることができる。つまり、本構成のコネクタによれば、端子と導通部材との電気的な接続信頼性を向上させ、より確実な導通検査を行うことができる。
【００１３】
（４）  前記導通部材が、板状に形成され、前記導通部材の表裏面いずれか一方の面が、前記端子に接触し、前記導通部材の前記表裏面に垂直な端面が、前記コネクタハウジングの外部に露出することを特徴とする上記（１）〜（３）のいずれか一つに記載のコネクタ。
【００１４】
上記（４）の構成のコネクタによれば、導通部材が、板状に形成される。板状に形成された導通部材は、表裏面いずれか一方の面が、端子に接触する。本構成のコネクタは、端子が、雌端子であることが多い。これは、雌端子の場合、端子の全体がコネクタハウジングに覆われるため、雄端子に比べ導通検査部を設ける必要性が高いからである。雌端子は、相手端子（雄端子）との電気接触部となる板ばねが、略直方体状の外形となる箱部の内方に設けられる。導通部材は、表裏面いずれか一方の面が、箱部の長手方向に沿う外側面と接触するように配置される。この場合、導通部材は、端子の箱部に対して大きな接触面積を確保して、電気的に安定して端子に接続することができる。
この接触構造では、板状に形成した導通部材の一方の端面が、コネクタハウジングの外部に露出する。導通部材は、この端面が、導通検査ピンと接触する。端面が押圧される導通部材は、仮に導通検査ピンにより端面が過剰に押圧されても、変位方向が端子の箱部と接触状態にある外側面と沿う方向となるので、導通部材が箱部の外側面から離反することによる導通性能の低下が生じない。これによっても、本構成のコネクタは、端子と導通部材との電気的な接続信頼性を向上させ、より確実な導通検査を行うことができる。
【発明の効果】
【００１５】
本発明に係るコネクタによれば、コネクタ導通検査の際の端子の変形を防止できる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】本発明の一実施形態に係るコネクタのコネクタハウジングを表す斜視図である。
【図２】図１に示したコネクタハウジングの正面図である。
【図３】（ａ）は図２のＡ−Ａ断面図、（ｂ）は（ａ）のＢ部拡大図である。
【図４】リテーナの斜視図である。
【図５】図４に示したリテーナの正面図である。
【図６】（ａ）は図５のＣ−Ｃ断面図、（ｂ）は（ａ）のＤ部拡大図である。
【図７】コネクタハウジングにリテーナが嵌合したコネクタの正面図である。
【図８】図７のＥ−Ｅ断面におけるコネクタ導通検査状態を説明する図である。
【発明を実施するための形態】
【００１８】
以下、本発明に係る実施形態を、図面を参照して説明する。
図１は本発明の一実施形態に係るコネクタ１１（図７参照）のコネクタハウジング１３を表す斜視図である。図２は図１に示したコネクタハウジング１３の正面図である。図３の（ａ）は図２のＡ−Ａ断面図、図３の（ｂ）は図３の（ａ）のＢ部拡大図である。
【００１９】
本実施形態に係るコネクタ１１は、コネクタハウジング１３と、端子収容室２７を区画形成する仕切壁部と、端子１５（図８参照）と、導通部材１７と、を主要な構成として有する。また、本実施形態に係るコネクタ１１は、コネクタハウジング１３に嵌合して、端子１５を二重係止するためのリテーナ１９（図４参照）を備える。
【００２０】
本実施形態において、端子１５は、雌端子となる。雌端子は、コネクタハウジング１３への挿入方向の先端側に、プレス加工などにより形成された箱部２１（図８参照）を有する。箱部２１の内部には、箱部２１と同時にプレス加工されて、相手端子との電気接触部となる板ばね部（図示略）が設けられる。従って、本実施形態に係るコネクタ１１は、雌端子を収容する雌コネクタとなる。
【００２１】
コネクタハウジング１３は、絶縁性樹脂により一体成形される。コネクタハウジング１３は、本体部２３を有する。本体部２３は、相手コネクタ（図示略）との嵌合側に、嵌合筒部２５を有する。嵌合筒部２５には、複数の端子収容室２７が縦横に形成される。本実施形態では、横方向に３つ、上下に２段の合計６つの端子収容室２７が形成される。それぞれの端子収容室２７は、嵌合筒部２５の前端面２９に開口する相手端子（雄端子）の進入口３１に連通する。また、それぞれの端子収容室２７は、本体部２３の後端面３３に開口する端子挿入口３５に連通する。嵌合筒部２５の両側面３７には、リテーナ１９の挿入リテーナ壁３９（図５参照）が進入する切り込み溝４１が形成される。嵌合筒部２５の上部には、リテーナ１９に係合してリテーナ１９の離脱を規制するリテーナ係止爪４３が前端面２９に向かって突出している。
【００２２】
嵌合筒部２５には、端子収容室２７を区画形成する仕切壁部である端子収容室内壁４５が形成される。端子収容室内壁４５は、下段３つの端子収容室２７の底壁を形成する。この端子収容室内壁４５の前端面２９には導通部材表出窓４７が開口する。
【００２３】
端子収容室内壁４５の前端面側には、導通部材１７が設けられる。導通部材１７は、インサート成形あるいは圧入により端子収容室内壁４５に埋入される。導通部材１７は、下段３つの端子収容室２７にそれぞれ臨むように、３つが端子収容室内壁４５にそれぞれ設けられる。導通部材１７は、端子収容室２７に装着された端子１５に電気的に接続することができる。
【００２４】
本実施形態において、導通部材１７は、板状に形成される。導通部材１７は、例えばリン青銅やステンレス鋼などの導電性及び弾力性を有する金属材料により形成される。導通部材１７は、表裏面いずれか一方の面が、端子１５に接触する。本実施形態では、図３に示す上側となる表面が端子１５に接触する。即ち、導通部材１７は、表面が端子接触面４９となる。そして、導通部材１７は、表裏面に垂直な一方の端面（前端面）が、コネクタハウジング１３の導通部材表出窓４７から外部に露出する。即ち、導通部材１７は、一部分である端面（前端面）が導通検査ピン接触面５１となる。導通部材１７は、上枠部５３を有する導通部材表出窓４７により前端部の四方が包囲されて、上方への離脱が規制される。この上枠部５３は、同時に相手端子が進入する進入口３１の下案内壁ともなる。
【００２５】
嵌合筒部２５は、底壁となる端子収容室内壁４５と対向して上方に天壁５５を有する。嵌合筒部２５は、底壁（端子収容室内壁４５）と天壁５５との間に隔壁５７が形成される。隔壁５７は、上段３つの端子収容室２７と、下段３つの端子収容室２７とを仕切っている。
【００２６】
天壁５５には、上段３つの端子収容室２７のそれぞれに突出する３つの可撓係止片５９が形成される。また、隔壁５７には、下段３つの端子収容室２７のそれぞれに突出する３つの可撓係止片５９が形成される。可撓係止片５９は、基端が天壁５５又は隔壁５７に接続され、先端が自由端となった片持ち梁状に形成される。それぞれの可撓係止片５９の上方には、挿入される端子１５により押し上げられた際の移動を可能とする退避空間６１が確保されている。
可撓係止片５９の先端に形成された係止突部８３は、端子１５における箱部２１の後端に形成された係止段部８１を係止することで、端子収容室２７に収容された端子１５の離脱を規制する（図８参照）。
【００２７】
図４及び図５はリテーナ１９の斜視図及び正面図である。図６の（ａ）は図５のＣ−Ｃ断面図、図６の（ｂ）は図６の（ａ）のＤ部拡大図である。  本実施形態に係るコネクタ１１は、嵌合筒部２５の前方に、端子１５を二重係止するためのリテーナ１９が嵌合される。リテーナ１９は、絶縁性樹脂により略直方体の外形となって一体成形される。リテーナ１９の前端面２９には、嵌合筒部２５の前端面２９を表出させる嵌合筒部収容穴６３が開口する。嵌合筒部収容穴６３は、下からほぼ三分の二程度の高さの位置で水平に設けられた挿入リテーナ壁３９により上下に分けられている。リテーナ１９の前端面２９における上部には、嵌合筒部２５の嵌合杆６５（図１参照）が進入する嵌合穴６７や、リテーナ係止爪４３が進入する係止穴６９が開口する。
【００２８】
嵌合筒部収容穴６３は、挿入リテーナ壁３９により、下側の下部嵌合筒部収容穴７１と、上側の上部嵌合筒部収容穴７３とに分けられる。下部嵌合筒部収容穴７１には、嵌合筒部２５の端子収容室内壁４５が進入する。下部嵌合筒部収容穴７１に進入した端子収容室内壁４５と、挿入リテーナ壁３９の下面との間には、下段の端子収容室２７が区画形成される（図８参照）。
【００２９】
一方、上部嵌合筒部収容穴７３には、上段の端子収容室２７が区画形成される（図８参照）。つまり、上段の端子収容室２７における前部は、ほぼ上部嵌合筒部収容穴７３により区画形成される。
【００３０】
本実施形態において、仕切壁部は、コネクタハウジング１３に形成される端子収容室内壁４５と、リテーナ１９に形成される挿入リテーナ壁３９となる。本実施形態において、仕切壁部である端子収容室内壁４５と挿入リテーナ壁３９とは、共に端子収容室２７を区画形成する。
【００３１】
挿入リテーナ壁３９の前端面側には、導通部材１７が設けられる。導通部材１７は、インサート成形あるいは圧入により挿入リテーナ壁３９に埋入される。導通部材１７は、上段３つの端子収容室２７にそれぞれ臨むように、３つが挿入リテーナ壁３９にそれぞれ設けられる。導通部材１７は、端子収容室２７に装着された端子１５に電気的に接続することができる。即ち、導通部材１７は、表面が端子接触面４９となる。また、導通部材１７は、一部分である前端面が、導通部材表出窓４７から挿入リテーナ壁３９（即ち、コネクタハウジング１３）の外部に露出する。即ち、導通部材１７は、前端面が導通検査ピン接触面５１となる。
【００３２】
挿入リテーナ壁３９に設けられる導通部材１７も、端子収容室内壁４５に設けられる導通部材１７と同様に、板状に形成される。挿入リテーナ壁３９に設けられる導通部材１７は、表面の端子接触面４９が上段の端子収容室２７に収容された端子１５に接触する。そして、前端面の導通検査ピン接触面５１は、挿入リテーナ壁３９の導通部材表出窓４７から外部に露出する。挿入リテーナ壁３９に設けられる導通部材１７は、上枠部５３を有する導通部材表出窓４７により前端の四方が包囲されて、上方への離脱が規制される。この上枠部５３は、同時に相手端子の進入する進入口３１の下案内壁ともなる。
【００３３】
挿入リテーナ壁３９は、前端面２９と反対側の挿入先端７５が、コネクタハウジング１３の後端面３３に向かって徐々に薄厚となるテーパー形状で形成される。この挿入リテーナ壁３９の挿入先端７５は、上記した下段側の可撓係止片５９の退避空間６１に挿入される。また、挿入リテーナ壁３９の上方には、挿入リテーナ壁３９と同方向に突出する上部リテーナ壁７７が形成される。上部リテーナ壁７７の挿入先端７５は、上段側の可撓係止片５９の退避空間６１に挿入される。退避空間６１に挿入先端７５を挿入した挿入リテーナ壁３９及び上部リテーナ壁７７は、端子１５に対する可撓係止片５９の係止解除方向の移動を規制する。これにより、リテーナ１９は、可撓係止片５９の弾性復元力に加え、二重に可撓係止片５９の移動を規制して端子１５の抜けを防止する。本明細書中、この可撓係止片５９及びリテーナ１９による端子１５の係止状態を、「二重係止」と称す。
【００３４】
コネクタ１１は、導通部材１７が、端子１５を挟んで可撓係止片５９の反対側の仕切壁部（即ち、端子収容室内壁４５又は挿入リテーナ壁３９）にそれぞれ設けられる（図８参照）。これにより、可撓係止片５９の係止突部８３により係止段部８１が係止された端子１５の箱部２１は、導通部材１７に接近する方向に付勢される。
【００３５】
次に、上記した構成の作用を説明する。
図７はコネクタハウジング１３にリテーナ１９が嵌合したコネクタ１１の正面図、図８は図７のＥ−Ｅ断面におけるコネクタ導通検査状態を説明する図である。
図７及び図８に示すように、本実施形態に係るコネクタ１１では、コネクタハウジング１３の内方に、端子１５を収容する端子収容室２７が設けられる。端子収容室２７は、コネクタハウジング１３内に設けられる仕切壁部である端子収容室内壁４５及び挿入リテーナ壁３９により区画形成される。端子収容室内壁４５及び挿入リテーナ壁３９には、導通部材１７がそれぞれ設けられる。導通部材１７は、端子収容室２７に臨むことにより、端子収容室２７に装着された端子１５に、電気的に接続することができる。端子１５に接続された導通部材１７は、一部分がコネクタハウジング１３の外部に露出する。
【００３６】
従って、図８に示すように、端子１５は、コネクタハウジング１３の外部から導通検査ピン７９が導通部材１７の一部分に接触することにより、導通部材１７を介して、コネクタハウジング１３の外部からの電気的な接続が可能となっている。この際、仮に導通検査ピン７９のスライド機構が何らかの要因で正規に動作せず、導通検査ピン７９が後退しないで導通部材１７に接触しても、導通検査ピン７９の押圧力が、端子１５に作用しない。これにより、端子１５は、導通検査ピン７９の押圧力が過剰に作用することによる変形が防止される。
【００３７】
そして、本実施形態のコネクタ１１では、仕切壁部が、端子収容室内壁４５及び挿入リテーナ壁３９にそれぞれ構成されているが、複数の端子収容室２７の配置によっては少なくともいずれか一方であってもよい。なお、「少なくともいずれか一方」とは、仕切壁部が、コネクタハウジング１３の端子収容室内壁４５のみの場合、リテーナ１９の挿入リテーナ壁３９のみの場合、これら端子収容室内壁４５及び挿入リテーナ壁３９の双方である場合のいずれも含む意である。
【００３８】
リテーナ１９は、コネクタハウジング１３と別体に形成され、端子１５が装着された後のコネクタハウジング１３に嵌合される。コネクタハウジング１３に嵌合されたリテーナ１９は、挿入リテーナ壁３９の挿入先端７５が、端子１５を係止している可撓係止片５９の退避空間６１に配置される。可撓係止片５９は、退避空間６１に挿入リテーナ壁３９の挿入先端７５が配置されることにより、係止方向と反対方向の移動が規制される。つまり、コネクタハウジング１３は、リテーナ１９が嵌合されることにより、端子１５に対する可撓係止片５９の係止解除が、可撓係止片５９の弾性復元力に加え、二重に規制され、端子１５の保持信頼性が高くなる。
【００３９】
本実施形態に係るコネクタ１１では、このリテーナ１９の挿入リテーナ壁３９に導通部材１７が設けられることにより、コネクタハウジング１３に、導通部材１７を設けるためのスペースを確保せずに済む。即ち、リテーナ１９を使用するコネクタハウジング１３において、コネクタハウジング１３を大型化させずに、導通検査ピン７９による端子１５の変形が防止できるようになる。
【００４０】
また、本実施形態のコネクタ１１では、コネクタハウジング１３に、端子収容室２７に突出する可撓係止片５９が形成される。可撓係止片５９は、端子収容室２７に端子１５が挿入されると、端子１５の挿入力によって端子収容室２７の外側へ弾性変形する。端子１５が端子収容室２７の所定の位置まで挿入されると、端子１５の係止段部８１が、可撓係止片５９の先端に形成された係止突部８３に係止される。すると、可撓係止片５９は、弾性復元力により、係止突部８３が端子１５の係止段部８１を端子収容室２７の内側へ押圧付勢する。この際、可撓係止片５９の弾性復元力は、端子１５を可撓係止片５９の反対側の仕切壁部（端子収容室内壁４５又は挿入リテーナ壁３９）へ接近させる方向に作用する。これにより、可撓係止片５９の弾性復元力が作用する分、端子１５を導通部材１７に強く接触させることができる。つまり、本実施形態のコネクタ１１によれば、端子１５と導通部材１７との電気的な接続信頼性を向上させ、より確実な導通検査を行うことができる。
【００４１】
また、本実施形態のコネクタ１１では、導通部材１７が、板状に形成される。板状に形成された導通部材１７は、表面が、端子１５に接触する。コネクタ１１は、端子１５が、雌端子である。これは、雌端子の場合、端子１５の全体がコネクタハウジング１３に覆われるため、雄端子に比べ導通部材１７を設ける必要性が高いからである。雌端子は、相手端子（雄端子）との電気接触部となる板ばねが、略直方体状の外形となる箱部２１の内方に設けられる。導通部材１７は、表面が、箱部２１の長手方向に沿う外側面と接触するように配置される。この場合、導通部材１７は、端子１５の箱部２１に対して大きな接触面積を確保して、電気的に安定して端子１５に接続することができる。
【００４２】
更に、この箱部２１と導通部材１７との接触構造では、板状に形成した導通部材１７の前端面である導通検査ピン接触面５１が、コネクタハウジング１３の外部に露出する。導通部材１７は、この前端面の導通検査ピン接触面５１が、導通検査ピン７９と接触する。前端面が押圧される導通部材１７は、仮に導通検査ピン７９により前端面が過剰に押圧されても、変位方向が箱部２１と接触状態にある外側面と沿う方向となるので、導通部材１７が箱部２１の外側面から離反することによる導通性能の低下が生じない。これによっても、本実施形態のコネクタ１１は、端子１５と導通部材１７との電気的な接続信頼性を向上させ、より確実な導通検査を行うことができる。
【００４３】
従って、本実施形態に係るコネクタ１１によれば、導通検査ピン７９を接触させた際の端子１５の変形を防止できる。
【００４４】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４５】
例えば上記実施形態の構成例では、本発明の導通部材が、板状に形成されたが、角柱形状やその他の断面多角形のピン形状で形成されてもよい。
更に、導通部材には、仕切壁部からの抜けを防止するための係止爪や係合穴などが形成されていてもよい。
【００４６】
ここで、上述した本発明に係るコネクタの実施形態の特徴をそれぞれ以下［１］〜［４］に簡潔に纏めて列記する。
［１］  コネクタハウジング（１３）に設けられて端子収容室（２７）を区画形成する仕切壁部（端子収容室内壁４５及び挿入リテーナ壁３９）と、
前記仕切壁部（端子収容室内壁４５及び挿入リテーナ壁３９）に設けられ前記端子収容室（２７）に装着された端子（１５）に電気的に接続されるとともに、一部分（端面）が前記コネクタハウジング（１３）の外部に露出する導通部材（１７）と、
を備えることを特徴とするコネクタ（１１）。
［２］  前記仕切壁部が、前記コネクタハウジング（１３）に形成される端子収容室内壁（４５）、及び前記コネクタハウジング（１３）に嵌合されるリテーナ（１９）に形成されて前記端子収容室（２７）を区画形成する挿入リテーナ壁（３９）の少なくともいずれか一方であることを特徴とする上記［１］に記載のコネクタ（１１）。
［３］  前記コネクタハウジング（１３）には、前記端子収容室（２７）に突出して前記端子（１５）の離脱を規制する可撓係止片（５９）が形成され、
前記導通部材（１７）が、前記端子（１５）を挟んで前記可撓係止片（５９）の反対側の前記仕切壁部（端子収容室内壁４５及び挿入リテーナ壁３９）に設けられることを特徴とする上記［１］または［２］に記載のコネクタ（１１）。
［４］  前記導通部材（１７）が、板状に形成され、
前記導通部材（１７）の表裏面いずれか一方の面（上側となる表面）が、前記端子（１５）に接触し、
前記導通部材（１７）の前記表裏面に垂直な端面（導通検査ピン接触面５１）が、前記コネクタハウジング（１３）の外部に露出することを特徴とする上記［１］〜［３］のいずれか一つに記載のコネクタ（１１）。
【符号の説明】
【００４７】
１１…コネクタ
１３…コネクタハウジング
１５…端子
１７…導通部材
１９…リテーナ
２７…端子収容室
３９…挿入リテーナ壁（仕切壁部）
４５…端子収容室内壁（仕切壁部）
５１…導通検査ピン接触面（端面）
５９…可撓係止片
【図１】
2020177816.tif 000003
【図２】
2020177816.tif 000004
【図３】
2020177816.tif 000005
【図４】
2020177816.tif 000006
【図５】
2020177816.tif 000007
【図６】
2020177816.tif 000008
【図７】
2020177816.tif 000009
【図８】
2020177816.tif 000010